(57)【要約】      （修正有）【課題】基板（例：ガラス板、アクリル板又はセラミック板）に付けられた盗難防止セキュリティシステムと、その導入方法を提供する。【解決手段】盗難防止セキュリティシステム２は、基板２０、導電ワイヤ層２２、感知制御ユニット２４、警報装置２５及び電源２６を含む。導電ワイヤ層は、基板上に配置され、複数の導電ワイヤ２２０を含む。複数の導電ワイヤは、集合的に、抵抗感知回路又は容量感知回路を形成する。感知制御ユニットは、導電ワイヤ層の複数の導電ワイヤに電気的に接続され、複数の導電ワイヤを制御し且つ選択的にスイッチングして抵抗感知回路又は容量感知回路を形成し、抵抗感知回路又は容量感知回路を探知し、それによって探知信号を生成する。感知制御ユニットから探知信号が警報装置に伝えられると、警報装置は、警告信号を生成する。電源は、電力を提供するために、感知制御ユニット及び警報装置に電気的に接続される。【選択図】図２
2012083808.tif 000002
【特許請求の範囲】
【請求項１】
基板と、
前記基板上に配置され且つ複数の導電ワイヤを含む導電ワイヤ層とを備え、前記複数の導電ワイヤは、集合的に、抵抗感知回路又は容量感知回路を形成し、
前記導電ワイヤ層の前記複数の導電ワイヤに電気的に接続され、且つ複数の導電ワイヤを制御し且つ選択的にスイッチングして前記抵抗感知回路又は前記容量感知回路を形成し、前記抵抗感知回路又は前記容量感知回路を探知し、それによって探知信号を生成する感知制御ユニットと、
前記感知制御ユニットと通じており、且つ前記感知制御ユニットから前記探知信号を受け取り、それによって警告信号を生成する警報装置と、
前記感知制御ユニット及び前記警報装置に電気的に接続され、且つ電力を提供する電源とを備える、盗難防止セキュリティシステム。
【請求項２】
前記導電ワイヤ層は、埋設、スプレー又は粘着手段によって、前記基板上に形成される請求項１に記載の盗難防止セキュリティシステム。
【請求項３】
保護層をさらに備え、前記保護層は、前記基板及び前記導電ワイヤ層上に配置される、請求項１に記載の盗難防止セキュリティシステム。
【請求項４】
前記盗難防止セキュリティシステムは、粘着層をさらに備え、前記保護層、前記導電ワイヤ層、及び前記粘着層は、集合的に、断熱ステッカーとして形成される、請求項３に記載の盗難防止セキュリティシステム。
【請求項５】
前記感知制御ユニットは、
前記導電ワイヤ層の前記複数の導電ワイヤに電気的に接続され、且つ前記複数の導電ワイヤを制御し且つ選択的にスイッチングして前記抵抗感知回路又は前記容量感知回路を形成するスイッチングデバイスと、
前記抵抗感知回路又は前記容量感知回路に電気的に接続され、且つ前記抵抗感知回路又は前記容量感知回路を探知し、それによって探知信号を生成する探知デバイスとを備える、請求項１に記載の盗難防止セキュリティシステム。
【請求項６】
前記基板が破砕又は割れを有する場合に、抵抗感知回路が開回路状態であることを前記探知デバイスが判断して前記基板の破砕又は割れを示す探知信号が前記探知デバイスによって生成され、
前記基板が破砕又は割れを有するか又は異物によってタッチされる場合に、前記容量感知回路の静電容量が変化して対応する探知信号が前記探知デバイスによって生成される、請求項５に記載の盗難防止セキュリティシステム。
【請求項７】
前記基板は、ガラス板、アクリル板又はセラミック板であり、前記導電ワイヤ層は、インジウム亜鉛酸化物又はインジウムスズ酸化物で形成される、請求項１に記載の盗難防止セキュリティシステム。
【請求項８】
前記警報装置は、警告ランプ、ブザー、ワイヤレス信号エミッタ、ネットワーク信号生成器、ショート・メッセージ生成器、又はその組み合わせである、請求項１に記載の盗難防止セキュリティシステム。
【請求項９】
基板と、
前記基板上に配置され且つ複数の導電ワイヤを含む導電ワイヤ層とを備え、前記複数の導電ワイヤは、集合的に、抵抗感知回路又は容量感知回路を形成し、
探知デバイスを含む感知制御ユニットを備え、前記探知デバイスは、前記抵抗感知回路又は前記容量感知回路に電気的に接続され、且つ前記抵抗感知回路又は前記容量感知回路を探知し、それによって探知信号を生成し、
前記感知制御ユニットと通じており、且つ前記感知制御ユニットから前記探知信号を受け取り、それによって警告信号を生成する警報装置とを備える、盗難防止セキュリティシステム。
【請求項１０】
（ａ）基板、導電ワイヤ層、感知制御ユニット、警報装置及び電源を準備し、前記導電ワイヤ層は、複数の導電ワイヤを備え、前記複数の導電ワイヤは、集合的に、抵抗感知回路又は容量感知回路を形成し、前記電源は、前記感知制御ユニット及び前記警報装置に電気的に接続されて電力を供給し、
（ｂ）前記導電ワイヤ層を前記基板上に形成し、
（ｃ）前記感知制御ユニットを、前記導電ワイヤ層の前記複数の導電ワイヤ及び前記警報装置に電気的に接続させるステップを備える、盗難防止セキュリティシステムを導入する方法。
【請求項１１】
前記ステップ（ｃ）の後に、
（ｄ）前記感知制御ユニットが、複数の導電ワイヤを制御し且つ選択的にスイッチングして前記抵抗感知回路又は前記容量感知回路を形成することを可能にし、
（ｅ）前記感知制御ユニットが、前記抵抗感知回路又は前記容量感知回路を探知し、それによって探知信号を生成することを可能にし、
（ｆ）前記探知信号に応答して前記警報装置によって警告信号を生成する、ステップをさらに備える、請求項１０に記載の方法。
【請求項１２】
前記導電ワイヤ層は、埋設手段により前記基板上に形成され、前記ステップ（ｂ）は、さらに、
（ｂ１１）基板を準備し、前記基板の表面上に複数の導電ワイヤを埋設して、前記導電ワイヤ層を形成し、
（ｂ１２）前記基板が前記基板になるように前記基板を固化し、
（ｂ１３）前記基板及び前記導電ワイヤ層上に、前記導電ワイヤ層を保護する保護層を形成するサブステップを備える請求項１０に記載の方法。
【請求項１３】
前記導電ワイヤ層は、スプレー手段により前記基板上に形成され、前記ステップ（ｂ）は、さらに、
（ｂ２１）スプレーデバイスのスプレーペンによって前記基板の表面上に複数の平行導電ワイヤを印刷又は塗布し、それによって、導電ワイヤ層を形成し、
（ｂ２２）前記基板及び前記導電ワイヤ層上に、前記導電ワイヤ層を保護する保護層を形成するサブステップを備える請求項１０に記載の方法。
【請求項１４】
前記導電ワイヤ層は、粘着手段により前記基板上に形成され、前記ステップ（ｂ）は、さらに、
（ｂ３１）保護層及び粘着層を準備し、前記保護層上に前記複数の導電ワイヤを形成して前記導電ワイヤ層を形成し、
（ｂ３２）前記粘着層を介して、前記基板上に前記導電ワイヤ層を含む保護層を粘着させる、サブステップを備える請求項１０に記載の方法。
【請求項１５】
前記導電ワイヤ層が、シルクスクリーンプロセス、電気めっきプロセス、化学蒸着プロセス又は化学スパッタリングプロセスによって、前記保護層上に形成される、請求項１４に記載の方法。
【発明の詳細な説明】
【技術分野】
【０００１】
本発明は、盗難防止セキュリティシステムに関し、さらに詳しくは、基板（例：ガラス板、アクリル板、又はセラミック板）に付けられた盗難防止セキュリティシステムに関する。本発明は、盗難防止セキュリティシステムを導入する方法にも関する。
【背景技術】
【０００２】
一般に、泥棒は、家又は車の周りに誰もいないか又は車の中に入りやすそうに思えると信じるときに、高価な財産を手に入れるために家又は車に侵入する。泥棒が家又は車に侵入することを抑止する最良の方法の一つは、盗難防止セキュリティシステムを導入することである。盗難防止セキュリティシステムの利用は、泥棒、破損、人によるダメージ、又は犯罪イベントを被る可能性を低減させる。既知のように、一般的な盗難防止セキュリティシステムの一つは、振動センサを利用して、ガラス板が異物によって破壊されたかどうかを判断する。
【０００３】
図１は、従来の盗難防止セキュリティシステムを示す概略図である。この盗難防止セキュリティシステムでは、振動センサ１１は、ガラス板１０のコーナーに取り付けられる。振動センサ１１は、伝送線１３を通じて警報装置１２に電気的に接続されている。外力によってガラス板１０がダメージを受けたり、衝撃を受けたりすると、振動が発生する。振動センサ１１によって振動が検知されると、検知信号が、伝送線１３を通じて警報装置１２に伝えられる。検知信号に応答して、警報装置１２は、警告信号を発して、守衛又はセキュリティサービス人員に知らせる。その結果、盗難防止セキュリティ効果が達成される。
【発明の概要】
【発明が解決しようとする課題】
【０００４】
しかしながら、従来の盗難防止セキュリティシステムは、いくつかの欠点を有している。例えば、振動センサ１１の使用は、誤警報率が高い。強風、地震、大型車の通過、人の誤った接触、又はガラス板１０の押圧が振動を発生させる場合がある。振動に応答して、振動センサ１１は、警報装置１２に検知信号を発し、守衛又はセキュリティサービス人員に通知する場合がある。守衛又はセキュリティサービス人員は、通常、高い誤警報率に戸惑う。一方、振動センサ１１の感度を弱めると、振動センサ１１が、コーナー以外の位置での破損の感知に失敗する場合がある。この状況では、盗難防止セキュリティ効果が大きく損なわれる。
【０００５】
従来技術で遭遇する欠点を取り除くために、基板（例：ガラス板、アクリル板又はセラミック板）に付けられた盗難防止セキュリティシステムと、その導入方法を提供することの要求がある。
【課題を解決するための手段】
【０００６】
本発明は、警告情報を正確に生じさせ、高費用対効果で要求を満たすために、基板（例：ガラス板、アクリル板又はセラミック板）に付けられた盗難防止セキュリティシステムを提供する。
【０００７】
本発明は、基板が破砕又は割れを有するか又は異物によってタッチされたかどうかをより少ない誤警報率で検知する盗難防止セキュリティシステムも提供する。
【０００８】
本発明は、さらに、探知感度及び精度の両方が考慮されるように、実際的な要求に従って異なる感知モードで動作する盗難防止セキュリティシステムを提供する。
【０００９】
本発明は、さらに、埋設、スプレー又は粘着手段によって基板上に導電ワイヤ層が形成された盗難防止セキュリティシステムを導入する方法を提供する。この盗難防止セキュリティシステムは、基板製造プロセスの間に選択的に形成され、リソースの浪費を低減し、高費用対効果で要求を満たす。
【００１０】
本発明のある観点によれば、盗難防止セキュリティシステムが提供される。この盗難防止セキュリティシステムは、基板、導電ワイヤ層、感知制御ユニット、警報装置、及び電源を含む。導電ワイヤ層は、基板上に配置され、複数の導電ワイヤを含む。複数の導電ワイヤは、集合的に、抵抗感知回路又は容量感知回路を形成する。感知制御ユニットは、導電ワイヤ層の複数の導電ワイヤに電気的に接続されており、複数の導電ワイヤを制御し且つ選択的にスイッチングして抵抗感知回路又は容量感知回路を形成し、それによって探知信号を生成する。警報装置は、感知制御ユニットと通じており、感知制御ユニットから探知信号を受け取り、それによって警告信号を生成する。電源は、感知制御ユニット及び警報装置に電気的に接続されていて、電力を提供する。
【００１１】
本発明の別の観点によれば、盗難防止セキュリティシステムが提供される。盗難防止セキュリティシステムは、基板、導電ワイヤ層、感知制御ユニット、及び警報装置を含む。導電ワイヤ層は、基板上に配置され、複数の導電ワイヤを含む。複数の導電ワイヤは、集合的に、抵抗感知回路又は容量感知回路を形成する。感知制御ユニットは、探知デバイスを含む。この探知デバイスは、抵抗感知回路又は容量感知回路に電気的に接続されており、抵抗感知回路又は容量感知回路を探知し、それによって探知信号を生成する。警報装置は、感知制御ユニットと通じており、感知制御ユニットから探知信号を受け取り、それによって警告信号を生成する。
【００１２】
本発明のさらなる観点によれば、盗難防止セキュリティシステムを導入する方法が提供される。最初に、基板、導電ワイヤ層、感知制御ユニット、警報装置及び電源が提供される。導電ワイヤ層は、複数の導電ワイヤを備え、複数の導電ワイヤは、集合的に、抵抗感知回路又は容量感知回路を形成する。電源は、感知制御ユニット及び警報装置に電気的に接続されていて、電力を提供する。次に、導電ワイヤ層が基板上に形成される。次に、感知制御ユニットは、導電ワイヤ層の複数の導電ワイヤ及び警報装置に電気的に接続される。
【００１３】
本発明の上記内容は、次の詳細な説明及び添付図面を参照した後に、当業者にさらに容易に明らかになるであろう。
【図面の簡単な説明】
【００１４】
【図１】図１は、従来の盗難防止セキュリティシステムを示す概略図である。
【００１５】
【図２】図２は、本発明の実施形態による、基板に付けられた盗難防止セキュリティシステムを示す概略図である。
【００１６】
【図３】図３は、本発明の別の実施形態による、基板に付けられた盗難防止セキュリティシステムを示す概略図である。
【００１７】
【図４】図４は、抵抗感知モードで動作する本発明の盗難防止セキュリティシステムを示す概略図である。
【００１８】
【図５】図５Ａ及び５Ｂは、図４に示す盗難防止セキュリティシステムの基板上の破砕又は割れの発生を示す概略図である。
【００１９】
【図６】図６は、容量感知モードで動作する本発明の盗難防止セキュリティシステムを示す概略図である。
【００２０】
【図７】図７Ａ及び７Ｂは、図６に示す盗難防止セキュリティシステムの基板上の異物のタッチングアクションに応答した、容量感知回路の静電容量変化を示す概略図である。
【００２１】
【図８】図８は、本発明の実施形態による盗難防止セキュリティシステムを導入する方法を示すフローチャートである。
【００２２】
【図９】図９Ａ〜９Ｄは、埋設手段により、基板上に導電ワイヤ層を形成するステップを概略的に示す。
【００２３】
【図１０】図１０Ａ〜１０Ｄは、スプレー手段により、基板上に導電ワイヤ層を形成するステップを概略的に示す。
【００２４】
【図１１】図１１Ａ〜１１Ｄは、粘着手段により、基板上に導電ワイヤ層を形成するステップを概略的に示す。
【００２５】
【図１２Ａ】図１２Ａ及び１２Ｂは、本発明の実施形態による盗難防止セキュリティシステムの２つの用途例を示す概略図である。
【図１２Ｂ】図１２Ａ及び１２Ｂは、本発明の実施形態による盗難防止セキュリティシステムの２つの用途例を示す概略図である。
【発明を実施するための形態】
【００２６】
本発明は、ここで、次の実施形態を参照してより詳しく説明される。なお、この発明の好ましい実施形態の次の説明は、ここでは、例示及び説明の目的でのみ提示される。開示されたそのままの形態が本発明を網羅しているとか、このような形態に本発明が限定されるとは意図されない。
【００２７】
本発明は、基板に付けられた盗難防止セキュリティシステムを提供する。本発明は、基板としてガラス板、アクリル板又はセラミック板を参照して説明される。それにも関わらず、基板は、ガラス板、アクリル板及びセラミック板に制限されない。
【００２８】
図２は、本発明の実施形態による、基板に付けられた盗難防止セキュリティシステムを示す概略図である。図３は、本発明の別の実施形態による、基板に付けられた盗難防止セキュリティシステムを示す概略図である。盗難防止セキュリティシステム２は、基板２０、導電ワイヤ層２２、感知制御ユニット２４、警報装置２５及び電源２６を備える。導電ワイヤ層２２は、基板２０上に配置され、複数の導電ワイヤ２２０を備える。任意的に、複数の導電ワイヤ２２０は、集合的に、抵抗感知回路２２１（図４を参照）又は容量感知回路２２２（図６を参照）を形成する。感知制御ユニット２４は、導電ワイヤ層２２の複数の導電ワイヤ２２０に電気的に接続されており、複数の導電ワイヤ２２０を制御し且つ選択的にスイッチングして抵抗感知回路２２１又は容量感知回路２２２を形成する。さらに、感知制御ユニット２４は、抵抗感知回路２２１又は容量感知回路２２２を探知し、それによって探知信号を生成するために用いられる。警報装置２５は、感知制御ユニット２４と通じていて、探知信号を受け取る。探知信号に応答して、警報装置２５は、警告信号を生成する。電源２６は、感知制御ユニット２４及び警報装置２５に電気的に接続されており、電力を提供する。任意的に、保護層２１は、導電ワイヤ層２２及び基板２０上に形成される。
【００２９】
この実施形態では、感知制御ユニット２４は、スイッチングデバイス２４０及び探知デバイス２４１を備える。スイッチングデバイス２４０は、導電ワイヤ層２２の複数の導電ワイヤ２２０に電気的に接続されており、複数の導電ワイヤ２２０を制御し且つ選択的にスイッチングして抵抗感知回路２２１又は容量感知回路２２２にする。探知デバイス２４１は、スイッチングデバイス２４０を通じて、抵抗感知回路２２１又は容量感知回路２２２に電気的に接続される。探知デバイス２４１は、抵抗感知回路２２１又は容量感知回路２２２を探知し、それによって探知信号を生成するために、用いられる。探知デバイス２４１が抵抗感知回路２２１に電気的に接続される場合、探知デバイス２４１は、抵抗感知回路２２１が基板２０の破砕又は割れのために開回路状態になっているかどうかを判断することができる。一方、探知デバイス２４１が容量感知回路２２２に電気的に接続される場合、探知デバイス２４１は、異物のタッチングアクションに応答して容量感知回路２２２の容量値が変化しているかどうかを判断することができる。つまり、探知デバイス２４１は、基板２０が破砕又は割れを有するか又は異物によってタッチされるときに、探知信号を生成する。
【００３０】
この実施形態では、基板２０は、光透過性材料（例えば、ガラス板又はアクリル板）からなる。別の実施形態では、基板２０は、不透明材料又は半透明材料（例えば色付きガラス板又はセラミック板）からなる。警報装置２５の例は、警告ランプ、ブザー、ワイヤレス信号エミッタ、ネットワーク信号生成器、又はショート・メッセージ生成器を含むが、これらに限定されない。
【００３１】
図４は、抵抗感知モードで動作する、本発明の盗難防止セキュリティシステムを示す概略図である。図４に示すように、感知制御ユニット２４のスイッチングデバイス２４０は、盗難防止セキュリティシステム２が抵抗感知モードで動作するように、抵抗感知回路２２１と選択的に接続される。基板２０に衝撃が加えられるか又は物体をぶつけられて破砕又は割れが生じた場合、基板２０上に設けられた導電ワイヤ層２２の１つ以上の導電ワイヤ２２０が破壊されることがある（図５Ａ及び５Ｂを参照）。この状況では、抵抗感知回路２２１は、開回路状態であり、従って、抵抗感知回路２２１を通じて電流が流れない（つまり、抵抗感知回路２２１等価抵抗は、無限大である）。感知制御ユニット２４の探知デバイス２４１が抵抗感知回路２２１が開回路状態であると判断すると、基板２０の破砕又は割れを示す探知信号が生成され、警報装置２５に伝えられる。探知信号に応答して、警報装置２５は、警告信号を生成して、守衛又はセキュリティサービス人員を駆り立てる。結果として、盗難防止効果が高められ、誤警報率が減じられる。
【００３２】
図６は、容量感知モードで動作する、本発明の盗難防止セキュリティシステムを示す概略図である。図６に示すように、感知制御ユニット２４のスイッチングデバイス２４０は、盗難防止セキュリティシステム２が容量感知モードで動作するように、容量感知回路２２２と選択的に接続される。基板２０上に設けられた導電ワイヤ層２２の複数の導電ワイヤ２２０は、集合的に、複数のキャパシタＣ１、Ｃ２、...、Ｃｎを形成する。複数のキャパシタは、直列又は並列で互いに接続される。複数のキャパシタのそれぞれは、２つの導電ワイヤ２２０に接続されている。基板２０が異物によってタッチされるか又は基板２０が破砕又は割れを有する場合、容量感知回路２２２の少なくとも一つのキャパシタの容量値が変化する（図７Ａ及び７Ｂを参照）。感知制御ユニット２４の探知デバイス２４１が容量感知回路２２２の容量値が変化したと判断すると、基板２０の破砕又は割れを示すか又は異物のタッチングアクションに応答した探知信号が生成され、警報装置２５に伝えられる。探知信号に応答して、警報装置２５は、守衛又はセキュリティサービス人員を駆り立てる警告信号を生成する。結果として、盗難防止効果が高められ、かつ及び誤警報率が減少する。
【００３３】
本発明の盗難防止セキュリティシステム２は、抵抗感知モード又は容量感知モードで動作可能である。抵抗感知モードでは、基板２０が破砕又は割れを有し、抵抗感知回路２２１が開回路状態であるときに警告信号が発せられる。その結果、抵抗感知モードの探知精度が向上し、誤警報率が大きく減少する。既に説明したように、振動センサは、ガラス板の局所領域のみを感知するので、従来の盗難防止セキュリティシステムには、感知できないスペースがある。一方、導電ワイヤ２２０が基板２０の全体に分布されるので、本発明の盗難防止セキュリティシステム２は、基板２０の大領域の感知に適しており、感知できないスペースの問題が取り除かれるであろう。容量感知モードでは、基板２０が異物によってタッチされるか又は基板２０が破砕又は割れを有し、従って、容量感知回路２２２の容量値が変化するときに警告信号が発せられる。言い換えると、容量感知モードでは、盗難防止セキュリティシステム２の探知感度が向上するであろう。
【００３４】
上記説明から、盗難防止セキュリティシステム２は、実際的な要求に従って、選択的に最適な感知モードで動作する。いくつかの実施形態では、盗難防止セキュリティシステムは、抵抗感知モードでのみ動作する。この状況では、感知制御ユニット２４のスイッチングデバイス２４０は、省略され、複数の導電ワイヤ２２０は、抵抗感知回路２２１として直接形成される。いくつかの実施形態では、盗難防止セキュリティシステム２は、容量感知モードでのみ動作する。この状況では、感知制御ユニット２４のスイッチングデバイス２４０は、省略され、複数の導電ワイヤ２２０は、容量感知回路２２２として直接形成される。盗難防止セキュリティシステムの動作原理及び構成は、図４及び６で示したものに類似しており、ここでは説明を繰り返さない。
【００３５】
図８は、本発明の実施形態による、盗難防止セキュリティシステムを導入する方法を示すフローチャートである。最初に、ステップS３０では、基板２０、導電ワイヤ層２２、感知制御ユニット２４、警報装置２５及び電源２６が準備される。導電ワイヤ層２２は、複数の導電ワイヤ２２０を備え、複数の導電ワイヤ２２０は、集合的に、抵抗感知回路２２１又は容量感知回路２２２を形成する。さらに、電源２６は、感知制御ユニット２４及び警報装置２５に電気的に接続され、電力を提供する。次に、ステップＳ３１では、埋設、スプレー又は粘着手段によって、導電ワイヤ層２２は、基板２０上に形成される。次に、ステップＳ３２では、感知制御ユニット２４は、導電ワイヤ層２２の複数の導電ワイヤ２２０及び警報装置２５に電気的に接続される。
【００３６】
次に、ステップＳ３３では、感知制御ユニット２４は、複数の導電ワイヤ２２０を制御し且つ選択的にスイッチングして、抵抗感知回路２２１又は容量感知回路２２２を形成する。次に、ステップＳ３４では、抵抗感知回路２２１又は容量感知回路２２２は、感知制御ユニット２４によって探知され、それによって探知信号が生成される。例えば、基板２０が破砕又は割れを有し、抵抗感知回路２２１が開回路状態にある場合、基板２０の破砕又は割れを示す探知信号が生成される。一方、基板２０が異物によってタッチされるか又は破砕又は割れを有する場合、基板２０の破砕又は割れを示すか又は異物のタッチングアクションに応答した探知信号が生成される。ステップＳ３５では、探知信号に応答して、警報装置２５は、警告信号を生成して、守衛又はセキュリティサービス人員を駆り立てる。結果として、盗難防止効果が高められ、誤警報率が減少する。
【００３７】
図９Ａ〜９Ｄは、埋設手段によって、基板上に導電ワイヤ層を形成するステップを概略的に示す。図９Ａに示すように、基板材料４０ａが最初に準備される。次に、特定の埋設機械（図示省略）によって、複数の導電ワイヤ４１０が基板材料４０ａの表面に埋められる。複数の導電ワイヤ４１０は、導電ワイヤ層４１を形成するように互いに平行である（図９Ｂを参照）。基板材料４０ａが固化した後、基板材料４０ａが基板４０になる。その一方で、埋設導電ワイヤ層４１を有する基板４０が製造される。      
【００３８】
任意的に、基板４０及び導電ワイヤ層４１上に保護層４２を形成して、導電ワイヤ層４１を保護する（図９Ｃを参照）。保護層４２の例は、半透明膜、抗ＵＶ膜又は遮光膜を含むがこれらに限定されない。保護層４２が基板４０上に形成された後、保護層４２は、半透明、抗ＵＶ又は遮光効果をもたらす。保護層４２は、所望の光透過性、耐熱性及びサイズ安定性を有する材料で形成される。保護層４２は、透明プラスチック材料で形成される。例えば、保護層４２は、ＰＣ（ポリカーボネート）膜、ＰＥＴ（ポリエチレンテレフタレート）膜又はＰＥＮ（ポリエチレンナフタレート）膜である。結果として、保護層４２は、良好な光透過可能性、耐熱性及びサイズ安定性を維持しつつ導電ワイヤ層４１を保護可能である。
【００３９】
図１０Ａ〜１０Ｄは、スプレー手段によって基板上に導電ワイヤ層を形成するステップを概略的に示す。図１０Ａに示すように、基板５０が最初に準備される。次に、スプレーデバイス（図示省略）のスプレーペン５２によって、複数の導電ワイヤ５１０が基板５０の表面上に印刷又は塗布される。複数の導電ワイヤ５１０は、等間隔で直線的に印刷又は塗布されることが好ましい。結果として、複数の導電ワイヤ５１０は、導電ワイヤ層５１を形成するように互いに平行である（図１０Ｂを参照）。任意的に、基板５０及び導電ワイヤ層５１上に保護層５２を形成して、導電ワイヤ層５１を保護する（図１０Ｃ及び１０Ｄを参照）。結果として、保護層５２は、良好な光透過性、耐熱性及びサイズ安定性を維持しつつ導電ワイヤ層５１を保護する。保護層５２は、図９で示したものに類似した材料で形成され、ここでは、説明を繰り返さない。
【００４０】
図１１Ａ〜１１Ｄは、粘着手段によって基板上に導電ワイヤ層を形成するステップを概略的に示す。図１１Ａに示すように、基板６０、保護層６２、複数の導電ワイヤ６１０及び粘着層６３が準備される。複数の導電ワイヤ６１０は、導電ワイヤ層６１を形成するように互いに平行である。導電ワイヤ層６１は、例えばシルクスクリーンプロセスによって、保護層６２上に形成される（図１１Ｂを参照）。現在のシルクスクリーンプロセスによれば、保護層６２上に非常に薄い複数の導電ワイヤ６１０が容易に形成可能である。別の実施形態では、導電ワイヤ層６１は、電気めっきプロセス、化学蒸着（ＣＶＤ）プロセス又は化学スパッタリングプロセスによって形成可能である。動作条件は、十分すぎるほどの実験によって選択されるべきである。
【００４１】
次に、図１１Ｃ及び１１Ｄに示すように、導電ワイヤ層６１を含む保護層６２が粘着層６３を介して基板６０上に粘着される。保護層６２の例は、半透明膜、抗ＵＶ膜又は遮光膜を含むがこれらに限定されない。保護層６２が基板６０上に粘着された後、保護層６２は、半透明、抗ＵＶ又は遮光効果をもたらす。保護層６２は、図９で示したものに類似した材料で形成され、ここでは、その説明は繰り返さない。保護層６２の光透過性、耐熱性及びサイズ安定性に一致するように、導電ワイヤ層６１は、好ましくは、透明導電材料（例えばインジウム亜鉛酸化物（ＩＺＯ）又はインジウムスズ酸化物（ＩＴＯ））で形成される。
【００４２】
図１２Ａ及び１２Ｂは、本発明の実施形態による盗難防止セキュリティシステムの２つの用途例を示す概略図である。図１２Ａに示すように、盗難防止セキュリティシステム２は、車７のフロントガラス７１上に導入される。図１２Ｂに示すように、盗難防止セキュリティシステム２は、家８の窓８１に導入される。導電ワイヤ層は、例えば埋設又はスプレー手段によって、基板（例：フロントガラス７１又は窓８１）上に直接形成される。次に、保護層を導電ワイヤ層上に配置して、導電ワイヤ層を熱及び強い光から保護する。この状況では、盗難防止セキュリティシステムは、基板（例：フロントガラス７１又は窓８１）を生産するプロセス中に同時に導入される。別の実施形態では、保護層、導電ワイヤ層及び粘着層は、断熱ステッカーとして集合的に形成され、従来の断熱紙を置き換える。断熱ステッカーは、盗難防止効果に加えて、断熱及び遮光効果をもたらすであろう。言い換えると、盗難防止セキュリティシステムを導入する方法が多様化される。
【００４３】
上記説明から、本発明の盗難防止セキュリティシステムは、基板（例：ガラス板、アクリル板又はセラミック板）上に導入され、盗難防止セキュリティ目的を達成し且つ高費用対効果で要求を満たす。さらに、本発明の盗難防止セキュリティシステムは、探知感度及び精度の両方が考慮されるように、実際的な要求に従って、異なる感知モードで動作する。導電ワイヤ層は、埋設、スプレー又は粘着手段によって、基板上に形成される。盗難防止セキュリティシステムは、基板が破砕又は割れを有しているか又は異物によってタッチされるかどうかを探知可能である。例えば、本発明の盗難防止セキュリティシステムは、抵抗感知モード又は容量感知モードで動作可能である。抵抗感知モードでは、探知精度は、非常に高く、誤警報率が大きく減少する。 容量感知モードでは、盗難防止セキュリティシステムの探知感度が向上する。結果として、盗難防止セキュリティシステムは、実際的な要求に従って、最適な感知モードで選択的に動作する。
【００４４】
本発明は、現在最も実際的で好ましい実施形態であると考えられるものについて説明を行ったが、本発明は、開示された実施形態に限定されないことを理解すべきである。一方、本発明は、添付の請求項の精神及び範囲内に含まれる種々の修正及び類似の構成を含むことを意図している。添付の請求項は、全てのこのような修正及び類似の構造を含むように最も広い解釈が与えられるべきである。
【図１】
2012083808.tif 000003
【図２】
2012083808.tif 000004
【図３】
2012083808.tif 000005
【図４】
2012083808.tif 000006
【図５】
2012083808.tif 000007
【図６】
2012083808.tif 000008
【図７】
2012083808.tif 000009
【図８】
2012083808.tif 000010
【図９】
2012083808.tif 000011
【図１０】
2012083808.tif 000012
【図１１】
2012083808.tif 000013
【図１２Ａ】
2012083808.tif 000014
【図１２Ｂ】
2012083808.tif 000015
【外国語明細書】
2012083808000001.pdf